(57)【要約】【課題】凹凸屋根からの離脱を抑制した固定部材及びこれを用いた機能パネルの固定構造を提案する。【解決手段】本発明は、凸部と凹部とを交互に有した凹凸屋根に取り付けられ、上方に機能パネルを固定する固定部材２０であって、対をなす二つの半体２１と、二つの半体２１を保持する保持部４０と、前記機能パネル用の取付部３０とを備え、半体２１は、前記凸部の各側面部に対向配置する縦片部２４と、縦片部２４の上部から突出した横片部２６とを有し、縦片部２４は、前記側面部の凹所に配置する突出部２５を有し、二つの半体２１が、互いの縦片部２４を対向させて互いの横片部２６を上下に重ねた状態で保持部４０に保持され、保持部４０として、横片部２６を上下に重ねた状態で保持する第１保持部４１と、縦片部２４の間を狭める向きに力を付与して縦片部２４を保持する第２保持部４４とを設けた。【選択図】図１
2014095240.tif 000002
【特許請求の範囲】
【請求項１】
下方に開口する凸部と上方に開口する凹部とを軒方向に交互に有した凹凸屋根に取り付け、上方に機能パネルを固定する固定部材であって、
前記凸部に配置させる対をなす二つの半体と、この二つの半体の一部を上下を重ねた状態で保持する保持部と、前記二つの半体の重ねた部位の上方に突出して設けた前記機能パネル用の取付部とを備え、
前記半体は、前記凸部の軒方向を向く各側面部に対向配置させる縦片部と、前記縦片部の上部から対をなす相手の前記半体に向けて突出した横片部とを有し、
前記縦片部は、対をなす相手の前記半体に向けて突出し前記側面部に設けた凹所に配置させる突出部を有し、
前記二つの半体は、互いの前記縦片部を対向させて互いの前記横片部を上下に重ねた状態で前記保持部に保持され、
前記保持部として、前記重ねた状態で前記横片部を上下に保持する第１保持部と、前記縦片部の間を狭める向きに力を付与して前記縦片部を保持する第２保持部とを設けたものであることを特徴とする固定部材。
【請求項２】
前記横片部の平面視における前記縦片部からの突出方向と交差する向きに位置する端部に、この交差する向きにおいて前記横片部から離れる方向に延出した延長片部を設け、
前記延長片部は、少なくとも延出した先端側が、延出元の前記横片部に比べて低く位置するものであることを特徴とする請求項１記載の固定部材。
【請求項３】
請求項１または２記載の固定部材を用いた前記凹凸屋根への機能パネルの固定構造であって、
前記凸部は、内側に凹んだ凹所を、前記側面部に有し、
前記固定部材は、前記凹所に前記突出部を配置し、前記側面部を前記縦片部で押圧して、前記凸部に取り付けるものであることを特徴とする機能パネルの固定構造。
【発明の詳細な説明】
【技術分野】
【０００１】
本発明は、凹凸屋根に機能パネルを取り付ける機能パネル設置用の固定部材及びこの固定部材を用いた機能パネルの固定構造に関する。
【背景技術】
【０００２】
従来から、既設の屋根に、太陽光発電パネル等の機能パネルを取り付けることがある。このものとして、例えば、特許文献１等には、固定金具を折板屋根の山部の頂点に固着して、この固定金具で太陽電池パネルを折板屋根に固定して取り付ける太陽電池パネル設置方法が開示されている。この方法では、山部の頂点に設けた結合部を、固定部材の両フィンガー部で掴むことによって、固定部材が折板屋根に取り付けられる。具体的には、両フィンガー部の結合部を掴む部位より上方に、ボルトが挿通してあり、ボルトのフィンガー部より外側にはナットが取り付けてある。このため、固定部材は、このボルト及びナットで両フィンガー部を締め付けることで、両フィンガー部で結合部を挟み込むことができ、これによって、両フィンガー部で結合部を掴んでいる。
【先行技術文献】
【特許文献】
【０００３】
【特許文献１】特開２００４−２０４５１２号公報
【発明の概要】
【発明が解決しようとする課題】
【０００４】
ところで、特許文献１等のようなボルトナットで締め付けて山部（凸部）を掴む所謂クランプ式の固定部材では、風等に起因する機能パネルの振動等によって、ボルトナットでの締め付けに緩みを生じることがある。そして、固定部材は、ボルトナットが緩むことで、両フィンガー部の間の幅が広がり、折板屋根から外れ易くなるという問題がある。
【０００５】
そこで、前記事情を鑑みて、本発明は、機能パネル等の微振動による保持部の緩み等での凹凸屋根からの離脱を抑制した固定部材及びこれを用いた機能パネルの固定構造を提案することを課題とする。
【課題を解決するための手段】
【０００６】
前記課題を解決するために本発明は、下方に開口する凸部と上方に開口する凹部とを軒方向に交互に有した凹凸屋根に取り付け、上方に機能パネルを固定する固定部材であって、前記凸部に配置させる対をなす二つの半体と、この二つの半体の一部を上下を重ねた状態で保持する保持部と、前記二つの半体の重ねた部位の上方に突出して設けた前記機能パネル用の取付部とを備え、前記半体は、前記凸部の軒方向を向く各側面部に対向配置させる縦片部と、前記縦片部の上部から対をなす相手の前記半体に向けて突出した横片部とを有し、前記縦片部は、対をなす相手の前記半体に向けて突出し前記側面部に設けた凹所に配置させる突出部を有し、前記二つの半体は、互いの前記縦片部を対向させて互いの前記横片部を上下に重ねた状態で前記保持部に保持され、前記保持部として、前記重ねた状態で前記横片部を上下に保持する第１保持部と、前記縦片部の間を狭める向きに力を付与して前記縦片部を保持する第２保持部とを設けたものであることを特徴とする。
【０００７】
また、本発明は、前記横片部の平面視における前記縦片部からの突出方向と交差する向きに位置する端部に、この交差する向きにおいて前記横片部から離れる方向に延出した延長片部を設け、前記延長片部は、少なくとも延出した先端側が、延出元の前記横片部に比べて低く位置するものであることが好ましい。
【０００８】
また、前記課題を解決するために本発明は、前述の固定部材を用いた前記凹凸屋根への機能パネルの固定構造であって、前記凸部は、内側に凹んだ凹所を、前記側面部に有し、前記固定部材は、前記凹所に前記突出部を配置し、前記側面部を前記縦片部で押圧して、前記凸部に取り付けるものであることを特徴とする。
【発明の効果】
【０００９】
本発明は、前記構成を具備したことで、固定部材を異なる二方向で保持して凹凸屋根に取り付けることができる。これによって、本発明は、凹凸屋根に対して、固定部材を一方向のみで保持して凹凸屋根に取り付けるものに比べて、保持部の緩み等による固定部材の凹凸屋根からの離脱を抑制することができる。
【図面の簡単な説明】
【００１０】
【図１】本発明の第１実施形態の固定部材の分解斜視図である。
【図２】本発明の第１実施形態の機能パネルの固定構造の機能パネルを省略した断面図である。
【図３】本発明の第１実施形態の屋根構造において一部の図示を省略した斜視図である。
【図４】本発明の第１実施形態の固定部材の凸部への取付方法を示し、（ａ）が半体取付時であり、（ｂ）が第１保持部取付時である。
【図５】本発明の第２実施形態の機能パネルの固定構造の機能パネルを省略した断面図である。
【発明を実施するための形態】
【００１１】
本発明を、添付図面に示す実施形態に基づいて説明する。本実施形態は、図３に示すように、片流れ屋根を有する建物１に適用したものである。以下の説明では、傾斜した屋根面に沿って軒と棟を結ぶ方向（所謂屋根の流れ方向）を軒棟方向Ｄ１とし、軒に沿う方向を軒方向Ｄ２とし、棟に沿う方向を棟方向とする。本実施形態では、軒方向Ｄ２と棟方向は平行になっている。
【００１２】
建物１の軒側の外壁の上端部には、軒部２が形成されており、軒部２は、屋外側に向かって突出する。軒部２の屋外側の面（鼻板面）は、下方ほど屋内側に位置するように傾斜している。また、建物１の棟側の外壁の上端部には、棟部３が形成されており、棟部３は屋外側に向かって突出する。棟部３の屋外側の面は鉛直である。
【００１３】
建物１の屋根下地は、垂木等の建築躯体上に野地板４を設けることで、形成されている。野地板４は、棟側から軒側に向かって略一様な角度で下り傾斜している。野地板４の軒側端部は、軒部２よりもさらに屋外側に突出している。野地板４の軒側端面は、軒部２の屋外側の面と略平行である。野地板４の棟側端部は、軒棟方向Ｄ１において、棟部３の屋外側の面よりも屋内側に控えた位置に配置されている。
【００１４】
野地板４の上には、凹凸屋根材１１が載置されており、凹凸屋根材１１は、軒方向Ｄ２に複数並べて設けてある。各凹凸屋根材１１は、例えば、鋼板製になっている。各凹凸屋根材１１は、図２に示すように、下方に開口し且つ上方に突出する凸部１２と、上方に開口し且つ下方に凹む凹部１３とを有する。凸部１２と凹部１３とは、軒方向Ｄ２に交互に並んで形成してある。各凸部１２の側面部１２ａは、隣接する凹部１３の側面部を兼ねている。各凸部１２の両側面部１２ａは、凸部１２の天面部（上面部）に対して略直角である。そして、各凸部１２の両側面部１２ａは、隣接する凹部１３の底面部（下面部）に対して略直角である。
【００１５】
野地板４とこの上に配置された各凹凸屋根材１１の間には、通気空間１７（第１通気空間）が形成されている。各通気空間１７は、凸部１２と野地板４で囲まれた空間になっており、軒方向Ｄ２に沿って凸部１２と同数或いは凸部１２より少ない数で形成されている。通気空間１７は、凹凸屋根材１１の軒棟方向Ｄ１の全長に亘って形成されている。通気空間１７は、軒棟方向Ｄ１と直交する断面形状が、略矩形状になっている。
【００１６】
また、各凸部１２の両側面部１２ａの下端部には、通気空間１７側に凹没する溝部３５が設けてあり、各溝部３５は、凹凸屋根材１１の軒棟方向Ｄ１の全長に亘って形成されている。言い換えると、凸部１２は、凸部１２の内側に凹んだ凹所３４を、側面部１２ａの下端部に有しており、凹所３４は、凹凸屋根材１１の軒棟方向Ｄ１の全長に亘って、溝状に形成されている。
【００１７】
図３に示すように、凹凸屋根材１１の軒側端部は、軒棟方向Ｄ１において、野地板４の軒側端縁よりも屋外側に位置した出代部１８になっている。凹凸屋根材１１の出代部１８における凸部１２（すなわち、各凸部１２の軒側の端部）は、下方に開口している。これら出代部１８における各凸部１２の下開口は、軒棟方向Ｄ１に長尺な矩形状に形成されており、この下開口部分が、対応する通気空間１７の導入口になっている。
【００１８】
図２に示すように、凹凸屋根材１１の軒方向Ｄ２における端部は、凹部１３で形成されている。この端部の凹部１３は、他の凹部１３と同様に、下面部と二つの側面部とを有する。そして、この端部の凹部１３は、軒方向Ｄ２において、下面部が他の凹部１３の下面部に比べて若干大寸になっている。以下、この端部の凹部１３を、外凹部１４とし、外凹部１４の二つの側面部のうち、凹凸屋根材１１の端部に位置する側面部を、外側面部１４ａとする。
【００１９】
外側面部１４ａの上部には、掛止部１５が形成されている。掛止部１５は、例えば、外側面部１４ａの上端から外凹部１４の内側に突出した突片部１５ａとなっており、突片部１５ａは外凹部１４の下面部側に向けて下向き傾斜した形状になっている。そして、突片部１５ａは、外側面部１４ａの軒棟方向Ｄ１において全長に亘って形成されている。
【００２０】
また、隣り合う凹凸屋根材１１の間には、軒棟方向Ｄ１に長いカバー部材８が配置される。カバー部材８は、下方に開口する略溝形の部材になっており、言い換えると軒棟方向Ｄ１に視て下向きの矩形Ｕ字形状（所謂コ字状）になっている。そして、カバー部材８は、隣接する凹凸屋根材１１の外側面部１４ａをＵ字（溝）の内部に配置して、外側面部１４ａの軒棟方向Ｄ１の全長に亘って取り付けられる。
【００２１】
更に、カバー部材８の両側面部の下部には、被掛止部９が形成されている。そして、カバー部材８は、各側面部の被掛止部９が、対応する外側面部１４ａの掛止部１５に掛止される。これによって、カバー部材８は両側の凹凸屋根材１１に取り付けられる。そして、カバー部材８は、この状態で両側の凹凸屋根材１１の間の部分を上方から覆う。
【００２２】
掛止部９は、例えば、カバー部材８の軒棟方向Ｄ１の全長に亘って形成されており、Ｕ字の内側に突出した突条部９ａになっている。このため、カバー部材８は、各突条部９ａを、対応する凹凸屋根材１１の突片部１５ａの下方に配置することで、被掛止部９が掛止部１５に掛止される。
【００２３】
また、カバー部材８は、その上面部が凸部１２の上面部と略同形同寸に形成されており、突条部９ａが軒方向Ｄ２においてＵ字の外側に開口している。このため、カバー部材８は、その外観が凸部１２のようになっており、突条部９ａの外観が溝部３５のようになっている。これによって、凹凸屋根は、凹凸屋根材１１の間を含む屋根面が、軒方向Ｄ２において凸部１２と凹部１３とを交互に有した形状となっている。以下、凹凸屋根材１１の凸部１２と、カバー部材８で形成された凸部とを、特に区別しない場合、単に「凸部１２」と記載する。
【００２４】
ところで、本実施形態では、図３に示すように、複数の凹凸屋根材１１で形成した屋根面上に、機能パネルが設置してある。機能パネルは、例えば、太陽光発電パネル４８となっている。太陽光発電パネル４８は、例えばシリコンを主材料とした半導体素子を有しており、太陽光エネルギーを電気エネルギーに変換して出力する。なお、太陽光発電パネル４８は、上下両面で受光して発電可能な両面受光型のパネルであってもよいし、上面のみで受光して発電可能なパネルであってもよい。
【００２５】
太陽光発電パネル４８は、複数の凸部１２の上方に設置されており、複数の凸部１２に跨っている。このため、太陽光発電パネル４８とこの下方に位置する凹凸屋根材１１の間には、第２通気空間が形成されている。この第２通気空間は、太陽光発電パネル４８と凹部１３とで囲まれた空間になっており、太陽光発電パネル４８の下方に位置する凹部１３と同数形成される。
【００２６】
また、太陽光発電パネル４８は、任意の凸部１２に取り付けた固定部材２０によって、前記屋根面上に固定される。言い換えると、太陽光発電パネル４８は、固定部材２０を用いて前記屋根面上に固定される。
【００２７】
固定部材２０は、図１に示すように、対をなす二つの半体２１と、両半体２１の上部を重ねた状態で保持する保持部４０と、半体２１の重ねた部位の上方に設けた機能パネル（太陽光発電パネル４８）用の取付部３０とを備える。そして、固定部材２０は、凹凸屋根材１１の凸部１２と、カバー部材８で形成された凸部とのいずれかの凸部１２に取り付けられる。なお、前記屋根面に取り付ける固定部材２０の数は、前記屋根面上に固定する機能パネルの種類や形状等の設置条件に応じて適宜設定される。
【００２８】
半体２１は、上下に幅を有した矩形で平板状の縦片部２４と、縦片部２４の上端から略直交する向きで突出した矩形で平板状の横片部２６とを一体で有しており、半体２１の断面形状は、上下逆向きの略Ｌ字形状になっている。そして、縦片部２４は、その下端部に突出部２５が設けてあり、突出部２５は、横片部２６の縦片部２４に対する突出方向と略同じ向きで縦片部２４から突出する。なお、半体２１は、例えば、鋼板製になっており、この鋼板を屈曲させることで、縦片部２４、横片部２６及び突出部２５が一体に形成されている。
【００２９】
また、半体２１は、図２に示すように、凸部１２に配置される。この際、横片部２６は、上下において、板面（下面）が凸部１２の上面部と対向し、縦片部２４は、軒方向Ｄ２において、板面（側面）が凸部１２の側面部１２ａに対向する。更に、各縦片部２４は、同じ凸部１２の夫々異なる側面部１２ａに当接し、当接した各側面部１２ａの溝部３５（凹所３４）には、対応する縦片部２４の突出部２５が配置される。このため、凸部１２に配置した状態において、横片部２６が、縦片部２４の上端部から軒方向Ｄ２の所定の一方向に沿って突出し、突出部２５が、縦片部２４の下端部から軒方向Ｄ２に沿って前記一方向と略同じ向きに突出する。
【００３０】
以下、半体２１を区別する場合には、凸部１２の一方の側面部１２ａに当接させた一方の半体２１を、第１半体２２とし、同じ凸部１２において残り一方（反対側）の側面部１２ａに当接させた残り一方の半体２１を、第２半体２３とする。そして、第１半体２２の横片部２６を、第１横片部２７とし、第２半体２２の横片部２６を、第２横片部２８とする。
【００３１】
また、固定部材２０は、第２横片部２８の上方に第１横片部２７を配置した状態（重ねた状態）に組み立てて、用いられる。このため、両半体２１は、互いの縦片部２４の板面を横片部２６の突出方向（前記一方向）において対向させて且つ互いの横片部２６の板面を上下に重ねた状態で、凸部１２に取付・配置される。
【００３２】
そして、第２半体２３は、第１半体２２に比べて、縦片部２４からの横片部２６の突出寸法が小寸になっている。例えば、第２横片部２８の前記突出寸法は、第１横片部２７に比べて、第１半体２２の縦片部２４の板厚分程度、短く形成されている。更に、第２半体２３は、第１半体２２に比べて、縦片部２４の上下寸法（幅寸法）が小寸になっている。例えば、第２半体２３の縦片部２４の前記幅寸法は、第１横片部２７の板厚分程度、短く形成されている。このため、固定部材２０は、横片部２６の前記突出寸法や縦片部２４の前記幅寸法等から、第１半体２２と第２半体２３とを施工現場等で容易に識別することができる。
【００３３】
また、両半体２１は、前記対向させて重ねた状態で、保持部４０に保持される。そして、両半体２１は、この保持状態で、各縦片部２４で夫々当接した（対応した）側面部１２ａを挟み込むように押圧する。言い換えると、保持部４０は、軒方向Ｄ２において側面部１２ａを縦片部２４で押圧した状態にして、両半体２１を保持する。以下、この保持状態を組合せ状態とする。
【００３４】
固定部材２０は、保持部４０として、両半体２１を上下に保持する第１保持部４１と、両半体２１を突出方向（軒方向Ｄ２）に保持する第２保持部４４とを備える。言い換えると、固定部材２０は、保持する方向が異なる二種類の保持部４０を備えており、二種類の保持部４０は、前記保持する方向が交差する向きになっている。
【００３５】
第１保持部４１は、両横片部２６に跨って取り付けられており、両横片部２６には、第１保持部４１を取り付けるための被取付部４３が設けてある。第１横片部２７の被取付部４３は、例えば、複数（本例では二つ）の挿通孔４３ａとなっており、挿通孔４３ａは、円形状に開口して、第１横片部２７を上下に貫通して形成されている。第２横片部２８の被取付部４３は、挿通孔４３ａと同数のねじ穴４３ｂとなっており、ねじ穴４３ｂは、円形状に開口して、第２横片部２８を上下に貫通して形成されている。
【００３６】
そして、ねじ穴４３ｂは、組合せ状態において、夫々異なるいずれかの挿通孔４３ａと重なる位置に設けてあり、ねじ穴４３ｂは組合せ状態で、対応する挿通孔４３ａと略同心で連通する。なお、ねじ穴４３ｂは、挿通孔４３ａに対して略同径或いは小径に形成されている。
【００３７】
更に、第２横片部２８は、ねじ穴４３ｂの縁部が上方に突出して形成されており、この縁部の上端に第１横片部２７の下面が当接される。このため、固定部材２０は、組合せ状態において、横片部２６を上下に重ね合せた（重ねて当接させた）状態となっている。言い換えると、第２半体２３は、上方に凸の立上り部（前記縁部）を第２横片部２８に設けて、この立上り部を第１横片部２７に当接させて、凸部１２に取付・配置するものとなっている。
【００３８】
第１保持部４１は、例えばねじやボルト等の螺合部材４２で形成されており、ねじ穴４３ｂ（挿通孔４３ａ）と同数設けてある。螺合部材４２は、上下に長尺でその略全長に亘ってねじ山を有した螺合軸部と、第１横片部２７の上面（挿通孔４３ａの縁部）に当接させる当接部（ねじ等の頭部）とで形成されている。この螺合軸部は、第１横片部２７の上方から挿通孔４３ａに挿通し、挿通した先端側をねじ穴４３ｂに螺合させる。そして、螺合部材４２は、組合せ状態において、前記当接部が第１横片部２７の上面側の挿通孔４３ａの縁部に当接されるまで、前記螺合軸部をねじ穴４３ｂに捻じ込むことで、両半体２１に取り付けられる。これによって、第１保持部４１（螺合部材４２）は、第１横片部２７を第２横片部２８に押し付けた状態で保持する。言い換えると、両半体２１は、第１保持部４１の前記当接部と第２横片部２８とで、第１横片部２７を上下に挟持した状態で保持される。
【００３９】
第２保持部４４は、両縦片部２４間に跨って取り付けられており、両縦片部２４には、第２保持部４４を取り付けるための被取付部４６が設けてある。両縦片部２４の被取付部４６は、突出方向に沿って貫通して形成された貫通孔４６ａとなっている。両貫通孔４６ａは、各縦片部２４の略同じ位置に設けてあり、略円形状に開口している。このため、両貫通孔４６ａは、組合せ状態において、突出方向（軒方向Ｄ２）に沿って略同心で並んで位置する。そして、各貫通孔４６ａは夫々、各縦片部２４の凸部１２より上方に位置する上部に形成されている。
【００４０】
第２保持部４４は、例えばボルト及びナット等の挟持部材４５で形成されている。挟持部材４５は、両貫通孔４６ａに挿通する挿通部材４５ａと、挿通部材４５ａに脱着自在で挿通部材４５ａを各貫通孔４６ａから抜け止める抜け止め部材４５ｂとを有する。挿通部材４５ａは、軒方向Ｄ２に長尺でその略全長に亘ってねじ山を有した螺合軸部と、この螺合軸部の一方の端部に設けた当接部（ボルト等の頭部）とで形成されている。前記螺合軸部は、組合せ状態において、両貫通孔４６ａに挿通される。
【００４１】
このとき、挿通部材４５ａは、前記当接部が一方の縦片部２４の貫通孔４６ａの縁部に当接され、前記螺合軸部の前記当接部とは反対側の端部が残り一方（他方）の縦片部２４から外方に突出する。このため、前記当接部は、一方の縦片部２４用の抜け止め部として機能する。言い換えると、挿通部材４５ａは、一方の縦片部２４用の抜け止め部を一体に備える。
【００４２】
また、挿通部材４５ａに対して脱着自在の抜け止め部材４５ｂは、他方の縦片部２４用の抜け止め部となっており、前記螺合軸部の前記当接部とは反対側の端部に螺合させる等で、取り付けられる。そして、第２保持部４４（挟持部材４５）は、挿通部材４５ａの当接部とこれに螺合させた抜け止め部材４５ｂとを夫々対応する側面部１２ａに当接して、両半体２１に取り付けられる。
【００４３】
このとき、第２保持部４４は、両縦片部２４の軒方向Ｄ２（突出方向）における間の寸法を狭めるように、挿通部材４５ａに対する抜け止め部材４５ｂの螺合位置が調節される。言い換えると、第２保持部４４は、両縦片部２４に対して突出方向の間を狭める向きに力を付与して、両縦片部２４を突出方向に締め付けた状態にして、両半体２１を保持する。このため、両半体２１は、縦片部２４で側面部１２ａを押圧した状態（凸部１２を軒方向Ｄ１において挟持した状態）で保持される。更に、両半体２１は、第２保持部４４での前記締め付けによって、両縦片部２４の互いに離れる向きへの変形（縦片部２４の前記間の幅が広がること）が抑制される。
【００４４】
取付部３０は、上下に略平行で軸心を有したボルト３１と、ボルト３１に螺合したナット３２とで形成してある。ボルト３１は、第１横片部２７の平面視略中央に貫通して取り付けてある。そして、ボルト３１は、第１横片部２７に貫通して取り付けた状態で、その頭部が第１横片部２７の下面に当接される。ナット３２は、前記取り付けた状態のボルト３１に上方側から螺合させて取り付けられる。そして、ナット３２は、ボルト３１に取り付けた状態で、その下端が第１横片部２７の上面に当接される。このため、取付部３０は、ボルト３１の頭部とナット３２とで第１横片部２７を上下に挟持しており、これによって、取付部３０は第１半体２２（第１横片部２７）に固定・保持される。
【００４５】
また、第１半体２２は、取付部３０を設けた（固定した）状態で、第２半体２３に組み合される。そして、取付部３０は、ボルト３１の頭部の上下寸法（軸方向に沿った頭部の厚さ寸法）が、第２横片部２８の前記立上り部（ねじ穴の前記縁部）の突出寸法と比べて、略同寸或いは若干小寸になっている。このため、固定部材２０は、組合せ状態において、前記立上り部によって生じた第１横片部２７と第２横片部２８との上下間の隙間に、ボルト３１の頭部が収納・配置される。
【００４６】
以下、凹凸屋根に機能パネル（太陽光発電パネル４８）を設置するための構造やその手順について、図４に基づいて詳述する。なお、図４では、説明の便宜上、凹凸屋根を切断した図面になっている。
【００４７】
まず、作業者は、凹凸屋根の任意の凸部１２に、第２半体２３を配置して、第２横片部２８を凸部１２の上面部の上方に位置させる。このとき、作業者は、第２半体２３の縦片部２３の突出部２５を一方の側面部１２ａの凹所３４に配置して、この縦片部２４をこの側面部１２ａに当接させる。
【００４８】
そして、作業者は、第２半体２３と同じ凸部１２に、第１半体２２を配置して、第１横片部２７を第２横片部２８の上方に位置させる（重ね合せる）。このとき、作業者は、第１半体２３の突出部２５を、第２半体２３を当接した側とは反対側の側面部１２ａの凹所３４に配置して、第１半体２３の縦片部２４を前記反対側の側面部１２ａに当接させる。これによって、両半体２１は、前記対向して重ね合せた状態で、凸部１２に配置される。
【００４９】
次に、作業者は、第１保持部４１を両半体２１の被取付部４３に取り付けて、第１保持部４１で両横片部２６を上下に固定・保持させる。そして、作業者は、第２保持部４４を両半体２１の被取付部４６に取り付けて、第２保持部４４で両縦片部２４を軒方向Ｄ２において固定・保持させる。このとき、作業者は、第２保持部４４で両縦片部２４を締め付けて、各縦片部２４で夫々対応する側面部１２ａを押圧させる。
【００５０】
これによって、両半体２１は、突出部２５を凹所３４に配置し且つ縦片部２３で凸部１２を軒方向Ｄ２に押圧・挟持した姿勢で、上下及び軒方向Ｄ２の二方向において保持された状態となる。そして、固定部材２０の凸部１２（凹凸屋根）への取付（設置）作業は、両半体２１を、前記姿勢で前記二方向から保持された状態（組合せ状態）にして、凸部１２に取り付けることで、完了となる。
【００５１】
また、固定部材２０の取付完了後、作業者は、太陽光発電パネル４８の前記被取付部を取付部３０に固定して、太陽光発電パネル４８を固定部材２０に取り付ける。これによって、太陽光発電パネル４８は、凹凸屋根上に設置される。
【００５２】
このように、本実施形態の機能パネルの固定構造において、機能パネルを固定する固定部材２０は、突出部２５を凹所３４に配置したことで、固定部材２０の上方への移動を規制し易くすることができる。言い換えると、本実施形態では、凹所３４と突出部２５とが、固定部材２０の凸部１２からの抜け止め部として機能している。
【００５３】
このため、本実施形態では、前記移動による固定部材２０の凸部１２から上方への抜け等を抑制することができる。言い換えると、本実施形態では、固定部材２０の上向きの外力に対する耐久性を向上し易くすることができる。これによって、本実施形態では、例えば太陽光発電パネル４８の風による浮き上がり等での上向きの外力に対して、固定部材２０を凹凸屋根から外れ難くすることができる。
【００５４】
更に、本実施形態では、両半体２１を二種類の保持部４０で保持した状態で、任意の凸部１２（凹凸屋根の任意の位置）に取り付けられる。そして、この二種類の保持部４０は、各々異なる向き（互いに交差する向き）で両半体２１を保持する。
【００５５】
このため、本実施形態では、保持が緩み易い外力の向きを保持部４０毎に（第１保持部４１と第２保持部４４とで）異ならせることができる。このため、本実施形態では、例えば太陽光発電パネル４８（機能パネル）の微振動等を受けた際に、この微振動等での保持部４０の緩みを、一方の保持部４０のみに抑え易くすることができる。これによって、本実施形態では、一方の保持が緩んだ状態でも、突出部２５を凹所３４に配置した状態に維持し易くすることができる。言い換えると、本実施形態では、第１保持部４１と第２保持部４４との両方が突出部２５を凹所３４に配置した状態に両半体２１を保持するため、前記微振動等を受けた際に、突出部２５と凹所３４とによる固定部材２０の抜け止めを維持し易くすることができる。
【００５６】
このため、本実施形態では、固定部材を一方向のみで保持して凹凸屋根に取り付けるものに比べて、固定部材２０を凹凸屋根から外れ難くして（離脱し難くして）取り付けることができる。そして、本実施形態では、固定部材２０を凹凸屋根から外れ難くして取付可能としたことで、太陽光発電パネル４８を凹凸屋根から外れ難くすることできる。
【００５７】
また、太陽光発電パネル４８は、周囲の雰囲気温度が高い場合や、直射日光が長時間照射された場合等に、発電素子が高温になって発電効率（変換効率）が低下する恐れがある。これに対して、本実施形態では、太陽光発電パネル４８の下方に通気空間１７（第１通気空間）と凹部１３（第２通気空間）とが設けてある。このため、本実施形態では、通気空間１７や前記第２通気空間を流れる空気によって、太陽光発電パネル４８を冷却し易くすることができる。これによって、本実施形態では、太陽光発電パネル４８の温度上昇を抑えることができて、太陽光発電パネル４８の発電効率の低下を抑制し易くすることができる。
【００５８】
次に、実施形態の他の一例として、第２実施形態を示す。なお、前述の第１実施形態と重複する構成は、同じ符号を付し、重複する説明は省略して、本実施形態（第２実施形態）の特徴等を説明する。
【００５９】
固定部材２０は、例えば、図５に示すように、第１横片部２７に延長片部３７が設けてある。延長片部３７は、平面視において、第１横片部２７の突出方向に対して略直交する向き（軒棟方向Ｄ１）の端部に夫々設けてあり、この端部から軒棟方向Ｄ１（前記向き）に沿って延長した形状になっている。そして、延長片部３７は、平板状に形成されており、板面が第１横片部２７の板面と略同じ向きを向いている。また、第１横片部２７の前記端部には、垂下片部３８（段差）が設けてあり、これによって延長片部３７の上面が第１横片部２７の上面より低く位置する。
【００６０】
このため、本実施形態では、延長片部３７を横片部２６に比べて凸部１２の上面部に近接或いは当接させて、固定部材２０を凸部１２に取り付けることができる。これによって、本実施形態では、例えば凸部１２上方の第２保持部４４設置用の空間への風の流入を抑制し易くなる等で、固定部材２０が風の影響を受け難くなり、太陽光発電パネル４８を凹凸屋根に強固に固定（設置）し易くすることできる。
【００６１】
そして、本実施形態では、延長片部３７と垂下片部３８（段差）とを設けたことで、前記設置用の空間を隠蔽し易くすることができる。このため、本実施形態では、例えば、横片部２６等によって前記設置用の空間に生じる影が目立ち難くなる等で、前記屋根面上から固定部材２０を目立ち難くすることができる。言い換えると、本実施形態では、凹凸屋根の外観への影響を軽減して、固定部材２０を凹凸屋根（前記屋根面上）に取り付けることができて、固定部材２０取付後も凹凸屋根の外観を良好な状態に保ち易くすることができる。
【００６２】
なお、本発明は、前述した実施形態の構成のみに限定されるものではなく、本発明の意図する範囲内であれば、適宜の設計変更を行うことが可能である。例えば、機能パネルは、太陽光発電パネル４８に限らず、その他の機能を有するパネルであってもよい。また例えば、本発明は、片流れ屋根に限らず、切妻屋根等のその他の形状の屋根にも適用可能である。
【００６３】
また例えば、前記立上り部は、ねじ穴４３ａの縁部に形成したものに限らず、ボルト３１の頭部に干渉し難い位置であれば、前記縁部以外に設けたものや、突出方向等に長尺で形成したものや、これらを組み合わせたもの等であってもよい。また例えば、半体２１は、重ね合せた状態で凸部１２に取り付ける場合、第２半体２３に前記立上り部を設けたものに限らず、下方に凸の脚部を第１横片部２７に設けて、この脚部を第２横片部２８の上面に当接させるものであってもよい。また例えば、固定部材２０は、重ね合せた状態で凸部１２に取り付ける場合、半体２１に前記立上り部や前記脚部を設けたものに限らず、スペーサー部材を介在させるもの等であってもよい。また例えば、前記立上り部や前記脚部等は、ボルト３１の頭部に干渉する等で、ボルト３１を横片部２６に固定する固定部としての機能を備えたものであってもよい。
【００６４】
また例えば、本固定構造は、機能パネルの重量や形状、凹凸屋根材１１の強度等によっては、凸部１２の内側に補強用の芯材を配置して、両縦片部２４での押圧による凸部１２の変形を抑制してもよい。この場合、芯材は、配置した凸部１２の上面部との間に空間を有する等で、この凸部１２で形成された通気経路１７を閉塞しないものが好ましい。
【００６５】
また例えば、凹所３４は、固定部材２０の下部（突出部２５）を配置可能であれば、凸部１２の側面部１２ａの下端部に溝状に形成したもの（溝部３５）に限らない。例えば、凹所３４は、側面部１２ａの固定部材２０の配置位置のみ等、側面部１２ａの全長のうちの一部に形成したものや、側面部１２ａの中間等、側面部１２ａの下端部より上方に形成したもの等であってもよい。言い換えると、凹所３４は、その内部に突出部２５を配置して、少なくとも一方の保持部４０で両半体２１を保持することで、固定部材２０を凸部１２から抜け止め可能なものであればよい。
【００６６】
また例えば、固定部材２０は、突出部２５と凹所３４とが嵌り合うものや、突出部２５で側面部１２ａ（凹所３４の奥面や上面等）を押圧するもの等であってもよい。また例えば、横片部２６の突出する方向（突出方向）と縦片部２４の幅方向とが交差する角度は、直角に限らず、凹所３４に突出部２５を配置可能であれば、直角より若干鋭角や若干鈍角なものであってもよい。
【００６７】
また例えば、保持部４０は、第１保持部４１を挟持部材で形成してもよく、第２保持部４４を一方の縦片部２４に設けたねじ穴とこのねじ穴に先端側を螺合させる螺合部材とで形成してもよい。なお、ねじ穴４３ｂは、横片部２６や縦片部２４に雌ネジを設ける等で直接形成したものに限らず、横片部２６や縦片部２４にナット等を溶接等で固着・一体化させて形成したもの等であってもよい。
【００６８】
また例えば、延長片部３７は、第２横片部２８に設けてもよい。また例えば、延長片部３７は、少なくとも延出した先端側が、延出元の横片部２６の上面に比べて低く位置するものであればよく、垂下片部を設けずに横片部２６から下向き傾斜して設けたもの等であってもよい。
【符号の説明】
【００６９】
１  建物
２  軒部
３  棟部
４  野地板
８  カバー部材
１１  凹凸屋根材
１２  凸部
１２ａ  側面部
１３  凹部
２０  固定部材
２１  半体
２２  第１半体
２３  第２半体
２４  縦片部
２５  突出部
２６  横片部
２７  第１横片部
２８  第２横片部
３０  取付部
３４  凹所
３５  溝部
３７  延長片部
３８  垂下片部
４０  保持部
４１  第１保持部
４２  螺合部材
４３  被取付部
４４  第２保持部
４５  挟持部材
４６  被取付部
４８  太陽光発電パネル
Ｄ１  軒棟方向
Ｄ２  軒方向
【図１】
2014095240.tif 000003
【図２】
2014095240.tif 000004
【図３】
2014095240.tif 000005
【図４】
2014095240.tif 000006
【図５】
2014095240.tif 000007